(57)【要約】【課題】掲示物の一部に変更があった場合でも、変更があった部分だけを容易に変更することができる掲示板を提供すること。【解決手段】掲示物と、前記掲示物を背面から支持する支持板と、前記掲示物を前面から支持する透明カバーと、を少なくとも備え、  前記掲示物が、二以上の掲示物部分に分割され、前記支持板が、二以上の掲示物部分のそれぞれを収納するための開口部を有する透明ポケットを備え、二以上の掲示物部分のそれぞれが各透明ポケットに収納されると共に、各透明ポケットが前記支持板上に配置されることにより、二以上の掲示物部分が一体となり掲示物として表示されることを特徴とする、掲示板。【選択図】図１０
0003153001.tif 000002
【実用新案登録請求の範囲】
【請求項１】
掲示物と、前記掲示物を背面から支持する支持板と、前記掲示物を前面から支持する透明カバーと、を少なくとも備え、
前記掲示物が、二以上の掲示物部分に分割され、
前記支持板が、二以上の掲示物部分のそれぞれを収納するための開口部を有する透明ポケットを備え、
二以上の掲示物部分のそれぞれが各透明ポケットに収納されると共に、各透明ポケットが前記支持板上に配置されることにより、二以上の掲示物部分が一体となり掲示物として表示されることを特徴とする、掲示板。
【請求項２】
掲示物と、前記掲示物を背面から支持する支持板と、前記掲示物を前面から支持する透明カバーと、枠体と、を少なくとも備え、
前記枠体が、前記透明カバーおよび前記掲示物を前記支持板に固定し、
前記掲示物が、二以上の四角形の掲示物部分に分割され、
前記支持板が、二以上の四角形の掲示物部分のそれぞれを収納するための透明ポケットを備え、
前記透明ポケットが、その上辺および側辺の少なくとも一方に開口部を有し、
前記透明ポケットのそれぞれが、二以上の四角形の掲示物部分のそれぞれに一対一に対応して略同一形状を有し、
二以上の四角形の掲示物部分のそれぞれが各透明ポケットに収納されると共に、各透明ポケットが前記支持板上に隙間なく配置されることにより、二以上の四角形の掲示物部分が一体となり掲示物として表示されることを特徴とする、請求項１に記載の掲示板。
【請求項３】
前記掲示物部分が、収納される前記透明ポケットの位置を示す表示手段を有する請求項１または２に記載の掲示板。
【請求項４】
前記掲示物部分が、掲示物の設置場所を示す表示および収納される前記透明ポケットの位置を示す表示手段を有する請求項１または２に記載の掲示板。
【考案の詳細な説明】
【技術分野】
【０００１】
本考案は掲示物を背面から支持する支持板と、前記掲示物を前面から支持する透明カバーを有する掲示板に関する。
【背景技術】
【０００２】
映画や催し物等の情報を知らせるポスター等を表示する掲示板として、ポスターを前面から支持する透明カバーと、ポスターを背面から支持する支持板と、これらを一体にまとめる枠体とからなる掲示板等が知られている。
この構造の掲示板を使用した場合、ポスターの前面と背面とがそれぞれ透明カバーと支持板とにより保護されているため、ポスターの汚れや破れ等が生じ難く長期間の情報の表示に適している。
しかし映画や催し物等の開催を伝えるポスター等の場合、これらの開催期間が終了する度に古いポスターを新しいポスターに差し替える必要があり、この交換作業に人手を要することから一定の時間とコストが要求される問題があった。
【０００３】
この問題に対応するため、掲示物のみを交換することにより異なる内容の掲示物を継続して掲示することができる掲示板が提案されている。
具体的には支持台紙を透明な外装ケース内に収納し、この支持台紙の前後面と外装ケースの内面との隙間に掲示物を抜き差し可能に配設してなる掲示板が知られている。
この掲示板によれば外装ケースと支持台紙を継続使用しつつ掲示物のみを新しい掲示物と交換するだけで異なった内容の掲示物を継続して掲示することができることから無駄を排除することができるとされる（特許文献１）。
【先行技術文献】
【特許文献】
【０００４】
【特許文献１】特開２０００−１１２３６５号公報
【考案の概要】
【考案が解決しようとする課題】
【０００５】
しかしながら先の先行技術である掲示板の場合は映画や催し物等の開催を知らせるポスター等に対して容易に対応できる反面、たとえば商業ビル等のフロア案内図や催し物会場案内図等を表示する掲示板の様に、入居者の変更や催し物の変更等、掲示物の一部に頻繁に変更がある場合には小さな変更がある毎にフロア案内図や会場案内図等の全体を変更する必要があった。
本考案の目的は、掲示物の一部に変更があった場合でも、その部分だけを容易に変更することができる掲示板を提供することにある。
【課題を解決するための手段】
【０００６】
上記課題を解決すべく考案者が鋭意検討した結果、掲示物を背面から支持する支持板と、前記掲示物を前面から支持する透明カバーを有する掲示板の中でも、二以上に分割された掲示物と、前記分割された掲示物をそれぞれ収納する透明ポケットとを備えた掲示板が本考案の目的に適うことを見出し本考案を完成するに至った。
【０００７】
すなわち本考案は、
［１］掲示物と、前記掲示物を背面から支持する支持板と、前記掲示物を前面から支持する透明カバーと、を少なくとも備え、
前記掲示物が、二以上の掲示物部分に分割され、
前記支持板が、二以上の掲示物部分のそれぞれを収納するための開口部を有する透明ポケットを備え、
二以上の掲示物部分のそれぞれが各透明ポケットに収納されると共に、各透明ポケットが前記支持板上に配置されることにより、二以上の掲示物部分が一体となり掲示物として表示されることを特徴とする、掲示板を提供するものである。
【０００８】
また本考案は、
［２］掲示物と、前記掲示物を背面から支持する支持板と、前記掲示物を前面から支持する透明カバーと、枠体と、を少なくとも備え、
前記枠体が、前記透明カバーおよび前記掲示物を前記支持板に固定し、
前記掲示物が、二以上の四角形の掲示物部分に分割され、
前記支持板が、二以上の四角形の掲示物部分のそれぞれを収納するための透明ポケットを備え、
前記透明ポケットが、その上辺および側辺の少なくとも一方に開口部を有し、
前記透明ポケットのそれぞれが、二以上の四角形の掲示物部分のそれぞれに一対一に対応して略同一形状を有し、
二以上の四角形の掲示物部分のそれぞれが各透明ポケットに収納されると共に、各透明ポケットが前記支持板上に隙間なく配置されることにより、二以上の四角形の掲示物部分が一体となり掲示物として表示されることを特徴とする、請求項１に記載の掲示板を提供するものである。
【０００９】
また本考案は、
［３］前記掲示物部分が、収納される前記透明ポケットの位置を示す表示手段を有する上記［１］または［２］に記載の掲示板を提供するものである。
【００１０】
また本考案は、
［４］前記掲示物部分が、掲示物の設置場所を示す表示および収納される前記透明ポケットの位置を示す表示手段を有する上記［１］または［２］に記載の掲示板を提供するものである。
【考案の効果】
【００１１】
本考案の掲示板によれば、掲示物の一部の内容に変更があった場合でも掲示物全体を交換する必要がなく、簡単に掲示物の一部の内容を変更することができる。
【図面の簡単な説明】
【００１２】
【図１】本考案に使用される支持板と透明ポケットとの関係を説明するための模式斜視図である。
【図２】本考案に使用される透明ポケットを説明するための模式斜視図である。
【図３】本考案に使用される掲示物を例示した斜視図である。
【図４】掲示物部分が透明ポケットに収納された状態を説明するための模式斜視図である。
【図５】本考案の掲示板を例示したものである。
【図６】実施例２による本考案の変形例を説明するための斜視図である。
【図７】実施例２による本考案の変形例を説明するための斜視図である。
【図８】実施例２による本考案の変形例を説明するための斜視図である。
【図９】実施例２により得られた掲示板の使用態様を例示するものである。
【図１０】実施例２により得られた掲示板の使用態様を例示するものである。
【図１１】実施例２により得られた掲示板の使用態様を例示するものである。
【図１２】掲示物部分の拡大図である。
【考案を実施するための形態】
【００１３】
以下に実施例に基づき本考案を詳細に説明するが、本考案はこれらの実施例に何ら限定されるものではない。
【実施例１】
【００１４】
図１は、本考案に使用される支持板と透明ポケットとの関係を説明するための模式斜視図である。
本考案に使用される支持板１は、プラスチック板、木板、金属板、厚紙等やこれらの積層板等が使用される。
【００１５】
図１に例示される様に、前記支持板１には二以上の透明ポケット２が配設されている。  
これらの透明ポケット２はそれぞれが互いに隙間なく前記支持板１に配設されている。  前記透明ポケット２は側辺３の一方および上辺４に開口部５を有していて、この開口部５から各透明ポケット２に掲示物部分を収納することができる。
【００１６】
前記透明ポケット２の形状は用途に応じて適宜選択されるが、取扱性の面から長方形、正方形、平行四辺形、台形等の四角形の形状であることが好ましく、正方形、長方形の形状であればさらに好ましい。
【００１７】
なお図１では各透明ポケット２として四角形の形状のものを使用しているが、各透明ポケットは前記支持板１上に隙間なく配設することができれば必ずしも四角形の形状に限定されず、例えば、正六角形等の形状であってもよい。
【００１８】
図２は、本考案に使用される透明ポケットを説明するための模式斜視図である。
透明ポケット２は透明であってその中に収納する掲示物部分を観察することができ、前記掲示物部分を保持する強度を有するものであれば使用する素材に特に限定はないが、例えば、ポリエチレンシート、ポリプロピレンシート、ポリエチレンテレフタレート、アクリルシート等の合成樹脂シート等が使用される。
【００１９】
前記透明ポケット２を得るためには、例えば、長方形の合成樹脂シート１００を破線部分で半分に折り返して折り返し部分を下辺６とし、側辺７のうち、折り返し片８がある側の側辺７同士を折り返し片８により包む様に折り返して接着剤や熱融着等の手段により前記折り返し片８を合成樹脂シート１００に接着する。これにより透明ポケット２が得られる。この様にして得られた透明ポケット２を、接着剤、両面粘着テープ等の手段により支持板１に対して貼着することにより、図１に例示した透明ポケット２を備えた支持板１を得ることができる。
【００２０】
なお図２の透明ポケット２に替えて、例えば１枚の合成樹脂シートの下辺と一方の側辺とを前記支持板１に接着剤等の手段により直接貼着しても図２の透明ポケットと同様の構造の透明ポケットを得ることができる。
【００２１】
また図２の場合では透明ポケット２の下辺６と一方の側辺７が接着されるが、透明ポケット２に前記掲示物部分を収納して保持することができるのであれば下辺６および側片７には接着されていない部分があってもよい。
【００２２】
さらに図２の透明ポケット２に替えて、上辺、下辺および一方の側辺が接着されていて、残る一方の側辺に開口部を有する透明ポケットを使用することもできるし、下辺および両方の側辺が接着されていて、上辺のみに開口部を有する透明ポケットを使用することもできる。
【００２３】
図３は本考案に使用される掲示物を例示した斜視図である。
図３に例示された掲示物２００は、プラスチックシート、木板、金属シート、紙等やこれらの積層シート等の素材を使用することができるが、取扱性の面から紙等を使用することが好ましい。
【００２４】
前記掲示物２００は二以上の掲示物部分２１０に分割されていて、これらの掲示物部分２１０が集合することにより一つの掲示物２００を形成することができる。図３の場合では前記掲示物は８枚の長方形の掲示物部分２１０ａ〜２１０ｊに分割されている。
【００２５】
前記掲示物２００には、例えば、商業ビル等のフロア案内図や催し物会場案内図等が表示される。説明の便宜上、各掲示物部分２１０ａ〜２１０ｊにはそれぞれＡ〜Jの参照符号を表示してあるが、実際には例えば商業ビル等の各店舗の位置や通路の配置を示すフロア案内図の情報表示等が各参照符号Ａ〜Ｊに分割して表示される。
【００２６】
図４は、前記掲示物部分が透明ポケットに収納された状態を説明するための模式斜視図である。
前記透明ポケット２の開口部から各透明ポケット２に掲示物部分２１０を収納することができる。各透明ポケット２と各掲示物部分２１０とは略同じ大きさの形状を有している。前記透明ポケット２同士は支持板１上に隙間なく配置されているため、前記透明ポケット２に収納された前記掲示物部分２１０は一体となって掲示物２００となる。これにより掲示物２００を表示することができる。
【００２７】
図５は本考案の掲示板を例示したものである。
各透明ポケット２に前記掲示物部分２１０を収納した支持板１と、透明カバー３００とを枠体４００により固定することにより本考案の掲示板が得られる。
【００２８】
前記枠体４００は溝部を有する枠体パーツ４１０に分かれていて、前記溝部に透明カバー３００、掲示物２００および支持板１をはめ込みつつ、各枠体パーツ４１０に設けられた突起部分４２０を各枠体パーツ４１０の受部４３０に挿入することにより枠体パーツ４１０を組み合わせて枠体４００を形成しつつ、枠体４００に透明カバー３００、掲示物２００および支持板１を固定することができる。これにより本考案の掲示板を構成することができる。
【実施例２】
【００２９】
次に実施例２により本考案の変形例を例示する。
図６〜図８は実施例２による本考案の変形例を説明するための斜視図である。
図６に例示されるように、実施例１に使用した支持板１の裏面に裏面に両面粘着テープ５００が貼付されている。この支持板１を図７に示す様に既存の掲示ボード６００に貼付する。続いて図８に例示する様に掲示ボード６００に貼付された支持板１を掲示フレーム７００に装着し、最外面に透明カバー３００を配置して、前記最外面の透明カバー３００を枠体４４０により固定することにより本考案の掲示板を得ることができる。
【００３０】
前記枠体４４０は４つの枠体パーツ４５０に分かれている。また前記掲示フレーム７００は金属板であり、前記枠体パーツ４５０はヒンジ部（図示せず）により前記掲示フレーム７００の各辺に開閉可能に取り付けられている。また前記枠体パーツ４５０の内側には板状磁石が配置されている（図示せず）。前記枠体パーツ４５０を閉じたときに、前記板状磁石が前記掲示フレーム７００に磁気の作用によって貼着することから、透明カバー３００、掲示物２００、支持板１および掲示ボード６００を前記掲示フレーム７００に固定することができる。実施例２は実施例１の変形例であるが、実施例２では支持板１、掲示ボード６００および前記掲示フレーム７００が一体となって実施例１の支持板１と同じ機能を果たしている。
【００３１】
なお、バネの力等を利用することにより、前記枠体パーツ４５０を前記掲示フレーム７００に固定することも可能である。
【実施例３】
【００３２】
図９〜図１１は実施例２により得られた掲示板の使用態様を例示するものである。
例えば実施例２により得られた掲示板の掲示物の一部に表示変更が必要になった場合、図９に例示される様に前記掲示フレームの枠体パーツ４５０を開き、前記掲示フレームから透明カバー３００を取り外す。次に図１０に例示される様に前記透明ポケット２から掲示物部分２１０を抜き取り、新たな掲示物部分を収納する。そして図１１に例示される様に透明カバー３００を取り付けることにより、簡単に掲示物の一部を取り換えた構造を得ることができる。
【００３３】
図１２は掲示物部分の拡大図である。
図１２に例示される様に、各掲示物部分２１０には、担当会社名表示８００、店舗番号表示８１０、フロア階数表示８２０、フロア設置場所表示８３０および透明ポケット位置表示８４０が記載されている。
【００３４】
これにより、掲示物部分２１０の表示を見ただけでその掲示物部分２１０がどの会社の店舗の、どこの階のどの場所の掲示板であるかが即座に認識することができる。また掲示物部分２１０には透明ポケットの位置表示８４０も記載されているため、掲示板の指定された透明ポケットに間違うことなく前記掲示物部分２１０を配置することができる。
【符号の説明】
【００３５】
１    支持板
２    透明ポケット
３    側辺
４    上辺
５    開口部
６    下辺
７    側辺
８    折り返し片
１００    合成樹脂シート
２００    掲示物
２１０、２１０ａ〜２１０j    掲示物部分
３００    透明カバー
４００、４４０    枠体
４１０    枠体パーツ
４２０    突起部分
４３０    受部
４５０    枠体パーツ
５００    両面粘着テープ
６００    掲示ボード
７００    掲示フレーム
８００    担当会社名表示
８１０    店舗番号表示
８２０    フロア階数表示
８３０    フロア設置場所表示
８４０    透明ポケット位置表示
【図１】
0003153001.tif 000003
【図２】
0003153001.tif 000004
【図３】
0003153001.tif 000005
【図４】
0003153001.tif 000006
【図５】
0003153001.tif 000007
【図６】
0003153001.tif 000008
【図７】
0003153001.tif 000009
【図８】
0003153001.tif 000010
【図９】
0003153001.tif 000011
【図１０】
0003153001.tif 000012
【図１１】
0003153001.tif 000013
【図１２】
0003153001.tif 000014